(57)【要約】【課題】立体映像の鑑賞中における健康被害を抑制する。【解決手段】鑑賞者の左右の目の視認可否を切り替える液晶シャッターメガネ１０であって、液晶シャッターメガネ１０を装着する鑑賞者の顔が傾いたときにおける液晶シャッターメガネ１０の傾き量を検出する傾きセンサー１５と、傾きセンサー１５の検出結果から、鑑賞者の左目に左目用の映像のみが視認され、右目に右目用の映像のみが視認されるという初期鑑賞映像態様を停止すべきか否かを判定する傾き判定部１２１とを備えている。【選択図】図１
2012222698.tif 000002
【特許請求の範囲】
【請求項１】
鑑賞者の左右の目の視認可否を切り替える視認切替用メガネであって、
上記視認切替用メガネを装着する鑑賞者の顔が傾いたときにおける上記視認切替用メガネの傾き量を検出する傾き検出手段と、
上記傾き検出手段の検出結果から、上記鑑賞者の左目に左目用の映像のみが視認され、右目に右目用の映像のみが視認されるという初期鑑賞映像様態を停止すべきか否かを判定する判定手段と
を備えていることを特徴とする視認切替用メガネ。
【請求項２】
上記判定手段が上記初期鑑賞映像様態を停止すべきと判定した場合に、上記初期鑑賞映像様態とは異なる、予め定められた第２次鑑賞映像様態が実行されるように、上記鑑賞者の左右の目の視認可否を切り替える切り替え手段をさらに備えていることを特徴とする請求項１に記載の視認切替用メガネ。
【請求項３】
上記第２次鑑賞映像様態は、上記切り替え手段により上記左目用の映像および上記右目用の映像の一方が上記鑑賞者の左右の目の両方に視認されるという切り替えであることを特徴とする請求項２に記載の視認切替用メガネ。
【請求項４】
上記第２次鑑賞映像様態は、上記切り替え手段により上記左目用の映像および上記右目用の映像の両方が上記鑑賞者の左右の目の両方に視認されるという切り替えであることを特徴とする請求項２に記載の視認切替用メガネ。
【請求項５】
上記第２次鑑賞映像様態は、上記左目用の映像および上記右目用の映像の両方が上記鑑賞者の左右の目の両方に視認されないという切り替えであることを特徴とする請求項２に記載の視認切替用メガネ。
【請求項６】
上記判定手段は、上記傾き検出手段が検出した傾き量が予め定められた閾値を超えるか否かによって、上記初期鑑賞映像様態を停止すべきか否かを判定することを特徴とする請求項１〜５のいずれか１項に記載の視認切替用メガネ。
【請求項７】
上記傾き検出手段は、加速度センサーであり、
上記判定手段は、上記加速度センサーが検出する加速度の時間的変化を基に、上記加速度センサーの加速度を上記傾き量として用いるべきか否かを決定する決定手段を有することを特徴とする請求項１〜６のいずれか１項に記載の視認切替用メガネ。
【請求項８】
上記傾き検出手段は、ジャイロセンサーであることを特徴とする請求項１〜６のいずれか１項に記載の視認切替用メガネ。
【請求項９】
上記判定手段が上記初期鑑賞映像様態を停止すべきと判定した場合に、その判定結果を報知する報知部をさらに備えていることを特徴とする請求項１〜８のいずれか１項に記載の視認切替用メガネ。
【請求項１０】
上記判定手段が上記初期鑑賞映像様態を停止すべきと判定した場合に、その判定結果を表わす判定信号を出力する出力部をさらに備え、
上記出力部は、鑑賞者の左右の目の視差を利用した視差映像を表示装置に表示することにより、上記視認切替用メガネを装着する鑑賞者に立体映像を鑑賞させる表示装置に、上記判定信号を出力することを特徴とする請求項１〜９のいずれか１項に記載の視認切替用メガネ。
【請求項１１】
鑑賞者の左右の目の視差を利用した視差映像を表示装置に表示することにより、請求項１０に記載の視認切替用メガネを装着する鑑賞者に立体映像を鑑賞させる表示制御装置であって、
上記判定信号を受け取ると、上記表示装置の表示態様を、上記視認切替用メガネの視認可否の切り替えタイミングと同期して上記左目用の映像および上記右目用の映像を交互に表示させる立体映像表示態様とは異なる、予め定められた第２次映像表示態様に変更する変更手段を備えていることを特徴とする表示制御装置。
【請求項１２】
上記第２次映像表示態様は、上記左目用の映像および上記右目用の映像の一方が表示されるという表示態様であることを特徴とする請求項１１に記載の表示制御装置。
【請求項１３】
上記第２次映像表示態様は、上記判定結果を上記鑑賞者に報知するための報知映像表示様態であることを特徴とする請求項１１に記載の表示制御装置。
【請求項１４】
上記第２次映像表示態様は、上記表示装置には映像が表示されないという表示態様であることを特徴とする請求項１１に記載の表示制御装置。
【請求項１５】
上記判定信号は、上記傾き検出手段が検出した傾き量を表わす傾き量信号を含み、
上記第２次映像表示態様は、上記立体映像表示態様において、上記傾き量信号が表わす傾き量を用いて、上記左目用の映像および上記右目用の映像の各々に関し、上記表示装置における位置を変化させた表示態様であることを特徴とする請求項１１に記載の表示制御装置。
【請求項１６】
上記傾き検出手段が検出した傾き量は、上記鑑賞者の左右の目が並ぶ方向が水平方向から傾く傾き量であり、
上記第２次映像表示態様は、上記左目用の映像と上記右目用の映像とを互いに鉛直方向に沿って反対の向きに移動させることにより、上記左目用の映像と上記右目用の映像との間において互いに対応する点同士を結ぶ直線が上記水平方向から傾く量を、上記傾き検出手段が検出した傾き量に一致させた表示態様であることを特徴とする請求項１５に記載の表示制御装置。
【請求項１７】
上記傾き検出手段が検出した傾き量は、上記鑑賞者の左右の目が並ぶ方向が水平方向から傾く傾き量であり、
上記第２次映像表示態様は、上記鑑賞者から見たとき、上記左目用の映像と上記右目用の映像とを、それら間の相対位置関係を維持しつつ、上記表示装置の中心を回転軸として回転移動させることにより、上記左目用の映像と上記右目用の映像との間において互いに対応する点同士を結ぶ直線が上記水平方向から傾く量を、上記傾き検出手段が検出した傾き量に一致させた表示態様であることを特徴とする請求項１５に記載の表示制御装置。
【請求項１８】
上記回転移動は、上記表示装置に表示される上記左目用の映像および上記右目用の映像の回転移動であることを特徴とする請求項１７に記載の表示制御装置。
【請求項１９】
上記表示装置は、上記表示装置の中心を回転軸とする回転動作が可能であり、
上記回転移動は、上記左目用の映像および上記右目用の映像を表示する上記表示装置の回転動作に基づく回転移動であることを特徴とする請求項１７に記載の表示制御装置。
【請求項２０】
請求項１〜１０のいずれか１項に記載の視認切替用メガネを動作させる制御プログラムであって、コンピュータを上記の各手段として機能させるための制御プログラム。
【請求項２１】
請求項１１〜１９のいずれか１項に記載の表示制御装置を動作させる制御プログラムであって、コンピュータを上記の各手段として機能させるための制御プログラム。
【請求項２２】
請求項２０または２１に記載の制御プログラムを記録しているコンピュータ読み取り可能な記録媒体。
【発明の詳細な説明】
【技術分野】
【０００１】
本発明は、３次元（３Ｄ）映像を鑑賞等するための視認切替用メガネ、表示制御装置、制御プログラムおよびコンピュータ読み取り可能な記録媒体に関するものである。
【背景技術】
【０００２】
近年、２次元（２Ｄ）映像以外の、３次元映像の視聴方法等の研究が盛んになってきている。３次元映像を視聴等するには、例えば、３次元映像専用の左目用映像及び右目用映像を別々に表示し、偏光メガネやシャッターメガネ等で２つの映像を、左目及び右目のそれぞれの目のみで視覚する必要がある。
【０００３】
また、シャッターメガネの場合、表示装置から交互に出力される右目用映像及び左目用映像の出力タイミングにあわせて、当該メガネの右目用シャッター及び左目用シャッターの開閉を制御する必要がある（例えば、特許文献１を参照）。シャッターメガネが右目用映像を受信する場合、その右目用映像を受信している間、右目用シャッターを開き、左目用映像を閉じるように制御する。これにより、右目用映像を右目のみで、左目用映像を左目のみで見ることが可能となり、鑑賞者は、３次元映像の製作者が意図する立体感を得ることができる。
【０００４】
ところで、３Ｄコンソーシアム（３ＤＣ）安全ガイドライン部会による「３ＤＣ安全ガイドライン（２０１０年４月２０日改訂）」によれば、立体映像を視聴したとき像が２重に見えたり、立体像が感じにくかったりする場合は、直ちに使用を中止し、表示機器やソフトの設定に間違いがないか確認調整し、それでも、２重像に見えたり、違和感を感じたりする等、立体視が成立しない場合は、利用を中止すべきである、とされている。
【０００５】
その理由としては、上記ガイドラインでは、両眼視差を利用する立体機器は、利用者が右目と左目から入る視点の異なる２つの映像を脳の中で融合して始めて立体を感じさせることができ、システムの調整に不適切（左右の光軸のズレ、左右画像のサイズの違い、色や輝度の差、上下のズレ、左右の映像の光の混合（クロストークが大きいなど））があると、左右２つの映像は融合しにくいため、２重像に見えたり違和感を感じ、眼精疲労などを引き起こす原因となることがある、とされている。
【０００６】
特に、鑑賞者の鑑賞姿勢に関し、両眼視差方式では表示面の水平方向と両目を水平にした姿勢で見るのが望ましい、とされている。これは、両眼が表示面に対して斜めになっていると、左右の眼に写る映像の上下の差異が大きくなり、融合困難となり、眼精疲労を引き起こす、また、直線偏光を利用した偏光メガネ方式では、傾けるとクロストークが大きくなり、眼精疲労を誘発しやすくなる、からであるとされている。
【先行技術文献】
【特許文献】
【０００７】
【特許文献１】特開昭６２−１７４７９３号公報（１９８７年７月３１日公開）
【発明の概要】
【発明が解決しようとする課題】
【０００８】
上述したような、立体映像の鑑賞中における鑑賞者の鑑賞姿勢に起因する健康被害を抑制するという観点から、鑑賞者が自身の鑑賞姿勢が立体映像を鑑賞するのに望ましいか否かを認識することができるようにすることは重要である。
【０００９】
ところが、鑑賞者が自身の鑑賞姿勢を認識するための構成について、特許文献１には開示も示唆もされていない。
【００１０】
本発明は、上記の問題を解決するためになされたもので、その目的は、立体映像の鑑賞中における鑑賞者の健康被害を抑制することができる視認切替用メガネ、表示制御装置、制御プログラムおよびコンピュータ読み取り可能な記録媒体を提供することにある。
【課題を解決するための手段】
【００１１】
本発明に係る視認切替用メガネは、上記の課題を解決するために、鑑賞者の左右の目の視認可否を切り替える視認切替用メガネであって、上記視認切替用メガネを装着する鑑賞者の顔が傾いたときにおける上記視認切替用メガネの傾き量を検出する傾き検出手段と、上記傾き検出手段の検出結果から、上記鑑賞者の左目に左目用の映像のみが視認され、右目に右目用の映像のみが視認されるという初期鑑賞映像態様を停止すべきか否かを判定する判定手段とを備えている。
【００１２】
３Ｄコンソーシアム（３ＤＣ）安全ガイドライン部会による「３ＤＣ安全ガイドライン（２０１０年４月２０日改訂）」によれば、立体映像を鑑賞する鑑賞者の鑑賞姿勢は、両眼視差方式の場合、表示面の水平方向と両目を水平にした姿勢で見るのが望ましい、とされている。
【００１３】
上記の構成によれば、視認切替用メガネは鑑賞者の顔に装着され、鑑賞者の顔が水平方向、もしくは表示装置に対して相対的に傾いたとき、その傾きにより、視認切替用メガネも傾くことになる。傾き検出手段は、この視認切替用メガネの傾き量を検出する。この傾き量は、鑑賞者の鑑賞姿勢を表わす指標となる。
【００１４】
一方、鑑賞者が立体映像を鑑賞する際には、視認切替用メガネは、鑑賞者の左目に左目用の映像のみが視認され、右目に右目用の映像のみが視認されるという初期鑑賞映像様態を実行している。
【００１５】
上記の構成では、判定手段は、傾き検出手段の検出結果である、視認切替用メガネの傾き量から、鑑賞者の左目に左目用の映像のみが視認され、右目に右目用の映像のみが視認されるという初期鑑賞映像態様を停止すべきか否かを判定する。言い換えれば、判定手段は、立体映像を鑑賞する鑑賞者の鑑賞姿勢が望ましいものであるか否かを判定する。
【００１６】
この判定結果を用いることにより、例えば、鑑賞者は、自身の鑑賞姿勢が立体映像を鑑賞するのに望ましいか否かを認識することができる。
【００１７】
それゆえ、立体映像の鑑賞中における鑑賞者の鑑賞姿勢に起因する健康被害を抑制することができる。
【００１８】
上記判定手段が上記初期鑑賞映像様態を停止すべきと判定した場合に、上記初期鑑賞映像態様とは異なる、予め定められた第２次鑑賞映像態様実行されるように、上記鑑賞者の左右の目の視認可否を切り替える切り替え手段をさらに備えていることが好ましい。
【００１９】
上記の構成によれば、判定手段が、初期鑑賞映像様態を停止すべきと判定した場合、言い換えれば、鑑賞者の鑑賞姿勢が望ましいものではないと判定した場合、切り替え手段は、初期鑑賞映像様態から、初期鑑賞映像様態とは異なる第２次鑑賞映像様態を実行する。このような第２次鑑賞映像様態の実行は、鑑賞者の左右の目がそれぞれ視認する映像が、その実行時から変化することを意味する。
【００２０】
このため、鑑賞者は、自身の鑑賞姿勢が望ましいものではないと判定されたことについて、その変化により、確実に認識することができる。
【００２１】
それゆえ、立体映像の鑑賞中における鑑賞者の鑑賞姿勢に起因する健康被害を確実に抑制することができる。
【００２２】
上記第２次鑑賞映像態様は、上記切り替え手段により上記左目用の映像および上記右目用の映像の一方が上記鑑賞者の左右の目の両方に視認されるという切り替えであることが好ましい。
【００２３】
上記の構成によれば、鑑賞者は、第２次鑑賞映像様態が実行されたとき、これまでの鑑賞していた立体映像が平面映像に切り替わることになる。このような立体映像から平面映像への切り替わりは、鑑賞者にとって非常に違和感のある切り替わりである。
【００２４】
それゆえ、鑑賞者は、自身の鑑賞姿勢が望ましいものではないと判定されたことについて、その違和感により、確実に認識することができる。
【００２５】
上記第２次鑑賞映像態様は、上記切り替え手段により左目用の映像および上記右目用の映像の両方が上記鑑賞者の左右の目の両方に視認されるという切り替えであることが好ましい。
【００２６】
上記の構成によれば、鑑賞者は、第２次鑑賞映像様態が実行されたとき、これまでの鑑賞していた立体映像が単なる２重に重なった平面映像に切り替わるため、鑑賞者は違和感を生じ、必ず気付くものといえる。
【００２７】
それゆえ、鑑賞者は、自身の鑑賞姿勢が望ましいものではないと判定されたことについて、確実に認識することができる。
【００２８】
上記第２次鑑賞映像様態は、上記左目用の映像および上記右目用の映像の両方が上記鑑賞者の左右の目の両方に視認されないという切り替えであることが好ましい。
【００２９】
上記の構成によれば、鑑賞者は、第２次鑑賞映像様態が実行されたとき、これまでの鑑賞していた立体映像が単なる２重に重なった平面映像に切り替わるため、鑑賞者は違和感を生じ、必ず気付くものといえる。さらに、鑑賞者の目への負担を確実に止めることが可能になる。
【００３０】
それゆえ、鑑賞者は、自身の鑑賞姿勢が望ましいものではないと判定されたことについて、確実に認識することができ、かつ、鑑賞者の目への負担を軽減することが可能になる。
【００３１】
上記判定手段は、上記傾き検出手段が検出した傾き量が予め定められた閾値を超えるか否かによって、上記初期鑑賞映像様態を停止すべきか否かを判定することが好ましい。
【００３２】
上記の構成によれば、判定手段は、傾き検出手段が検出した傾き量と閾値との大小関係を比較するという、簡便な手法によって、初期鑑賞映像様態を停止すべきか否かを判定することができる。
【００３３】
それゆえ、判定手段による判定を効率よく行うことができる。
【００３４】
上記傾き検出手段は、加速度センサーであり、上記判定手段は、上記加速度センサーが検出する加速度の時間的変化を基に、上記加速度センサーの加速度を上記傾き量として用いるべきか否かを決定する決定手段を有することが好ましい。
【００３５】
鑑賞者は多様であり、例えば、突発的な顔の動作（うなずき等）を行う者や、立体映像を鑑賞している状態であっても顔が常に動いている者もいる。このような場合においても、判定手段が初期鑑賞映像様態を停止すべきか否かを判定しようとすれば、不必要に第２次鑑賞映像様態が実行されることになり、鑑賞者の利便性を低下させてしまうことになる。
【００３６】
上記の構成によれば、傾き検出手段に加速度センサーを用いている。決定手段は、その加速度センサーが検出する加速度の時間的変化を基に、視認切替用メガネの傾き量として用いるべきか否かを決定する。加速度の時間的変化を見ることにより、上述したような、突発的な動作や常時動いている動作を特定することができるからである。
【００３７】
決定手段は、このような突発的な動作や常時動いている動作による視認切替用メガネの傾き量は、判定手段による判定の対象とはしない。
【００３８】
それゆえ、不必要な第２次鑑賞映像様態の実行が抑制され、鑑賞者の利便性を向上させることができる。
【００３９】
上記傾き検出手段は、ジャイロセンサーであることが好ましい。
【００４０】
ジャイロセンサーは、物体の各加速度から物体の傾きを検出する計測器である。
【００４１】
それゆえ、上記の構成によれば、傾き検出手段による傾き量の検出を高速化することができる。
【００４２】
上記判定手段が上記初期鑑賞映像様態を停止すべきと判定した場合に、その判定結果を報知する報知部をさらに備えていることが好ましい。
【００４３】
上記の構成によれば、鑑賞者は、自身の鑑賞姿勢が望ましいものではないと判定されたことについて、その報知部からの報知内容により、確実に認識することができる。
【００４４】
上記判定手段が上記初期鑑賞映像様態を停止すべきと判定した場合に、その判定結果を表わす判定信号を出力する出力部をさらに備え、上記出力部は、鑑賞者の左右の目の視差を利用した視差映像を表示装置に表示することにより、上記視認切替用メガネを装着する鑑賞者に立体映像を鑑賞させる表示制御装置に、上記判定信号を出力することが好ましい。
【００４５】
上記の構成によれば、視差切替用メガネは、出力部を用いて、判定手段の判定結果を表示制御装置に出力する。表示制御装置は、視差切替用メガネからその判定結果を受け取り、立体映像を鑑賞する鑑賞者の鑑賞姿勢が望ましいものであるか否かを認識することができる。
【００４６】
それゆえ、表示制御装置は、立体映像を鑑賞する鑑賞者の鑑賞姿勢が望ましいものであるか否かに応じ、表示装置に表示する視差映像を制御することができる。
【００４７】
本発明に係る表示制御装置は、上記の課題を解決するために、鑑賞者の左右の目の視差を利用した視差映像を表示装置に表示することにより、上記の視認切替用メガネを装着する鑑賞者に立体映像を鑑賞させる表示制御装置であって、上記判定信号を受け取ると、上記表示装置の表示態様を、上記視認切替用メガネの視認可否の切り替えタイミングと同期して上記左目用の映像および上記右目用の映像を交互に表示させる立体映像表示態様とは異なる、予め定められた第２次映像表示態様に変更する変更手段を備えている。
【００４８】
上記の構成によれば、鑑賞者の鑑賞姿勢が望ましいものではないと判定された場合、変更手段は、表示装置の表示態様を、立体映像表示態様から、その立体映像表示態様とは異なる第２次映像表示態様を変更する。このような立体映像表示態様から第２次映像表示態様への変更は、鑑賞者の左右の目がそれぞれ視認する映像が、その変更時から、大きく変化することを意味する。
【００４９】
このため、鑑賞者は、自身の鑑賞姿勢が望ましいものではないと判定されたことについて、その大きな変化により、確実に認識することができる。
【００５０】
また、複数の鑑賞者が同時に立体映像を鑑賞していた場合、そのうちのいずれかの鑑賞者の鑑賞姿勢が望ましいものではないことを、残りの鑑賞者が知ることができ、注意を喚起することができる。
【００５１】
それゆえ、立体映像の鑑賞中における鑑賞者の鑑賞姿勢に起因する健康被害を確実に抑制することができる。
【００５２】
上記第２次映像表示態様は、上記左目用の映像および上記右目用の映像の一方が表示されるという表示態様であることが好ましい。
【００５３】
上記の構成によれば、鑑賞者は、立体映像表示態様から第２次映像表示態様へ変更されたとき、これまでの鑑賞していた立体映像が平面映像に切り替わることになる。このような立体映像から平面映像への切り替わりは、鑑賞者にとって非常に違和感のある切り替わりである。
【００５４】
それゆえ、鑑賞者は、自身の鑑賞姿勢が望ましいものではないと判定されたことについて、その違和感により、確実に認識することができる。
【００５５】
上記第２次映像表示態様は、上記判定結果を上記鑑賞者に報知するための報知映像表示様態であることが好ましい。
【００５６】
上記の構成によれば、鑑賞者は、自身の鑑賞姿勢が望ましいものではないと判定されたことについて、その判定結果を表わすメッセージの表示により、確実に認識することができる。
【００５７】
上記第２次映像表示態様は、上記表示装置には映像が表示されないという表示態様であることが好ましい。
【００５８】
上記の構成によれば、鑑賞者は、立体映像表示態様から第２次映像表示態様へ変更されたとき、これまでの鑑賞していた立体映像が突如消失することになる。このような消失は、鑑賞者が必ず気付くものといえる。
【００５９】
それゆえ、鑑賞者は、自身の鑑賞姿勢が望ましいものではないと判定されたことについて、その切り替わりや消失により、確実に認識することができる。
【００６０】
上記判定信号は、上記傾き検出手段が検出した傾き量を表わす傾き量信号を含み、上記第２次映像表示態様は、上記立体映像表示態様において、上記傾き量信号が表わす傾き量を用いて、上記左目用の映像および上記右目用の映像の各々に関し、上記鑑賞者に視認される映像の位置を変化させた表示態様であることが好ましい。
【００６１】
上記の構成によれば、表示制御装置は、視差切替用メガネから受け取る判定信号に含まれる傾き量信号から、視差切替用メガネの傾き量を取得することができる。この傾き量は視差切替用メガネを装着する鑑賞者の鑑賞姿勢を表わす指標である。
【００６２】
表示制御装置は、この傾き量を用いて、鑑賞者の鑑賞姿勢に応じ、表示装置に表示される映像もしくは表示装置の位置を変化させる、具体的には、左目用の映像および右目用の映像の表示装置における各々の位置を変化させる、もしくは表示装置自体の傾きを変化させる。
【００６３】
このような映像の変化は、例えば、鑑賞者がその鑑賞姿勢のままで表示装置に表示される左目用の映像および右目用の映像を鑑賞し続けたとき、その鑑賞姿勢が鑑賞者にとって望ましい鑑賞姿勢となるよう、左目用の映像および右目用の映像の各々の位置を変化させる。
【００６４】
すなわち、鑑賞者が自身の鑑賞姿勢を変えることなく、その代わりに、左目用の映像および右目用の映像の各々の位置を変えることにより、結果として、鑑賞者の鑑賞姿勢が望ましいものとなるようにする。
【００６５】
それゆえ、鑑賞者が自ら鑑賞姿勢を変えることなく、立体映像の鑑賞中における鑑賞姿勢に起因する健康被害を抑制することができる。同時に、鑑賞者の利便性も向上させることができる。
【００６６】
上記傾き検出手段が検出した傾き量は、上記鑑賞者の左右の目が並ぶ方向が水平方向から傾く傾き量であり、上記第２次映像表示態様は、上記左目用の映像と上記右目用の映像とを互いに鉛直方向に沿って反対の向きに移動させることにより、上記左目用の映像と上記右目用の映像との間において互いに対応する点同士を結ぶ直線が上記水平方向から傾く量を、上記傾き検出手段が検出した傾き量に一致させた表示態様であることが好ましい。
【００６７】
上記「３ＤＣ安全ガイドライン（２０１０年４月２０日改訂）」によれば、両眼が表示面に対して斜めになっていると、左右の眼に写る映像の上下の差異が大きくなり、融合困難となり、眼精疲労を引き起こす、とされている。
【００６８】
上記の構成によれば、鑑賞者の左右の目が並ぶ方向と左目用の映像と右目用の映像との間において互いに対応する点同士を結ぶ直線とが一致する。すなわち、鑑賞者の両眼は表示装置の映像に対し、平行な状態で鑑賞することができる。
【００６９】
それゆえ、鑑賞者が自ら鑑賞姿勢を変えることなく、立体映像を鑑賞することができる。
【００７０】
上記傾き検出手段が検出した傾き量は、上記鑑賞者の左右の目が並ぶ方向が水平方向から傾く傾き量であり、上記第２次映像表示態様は、上記鑑賞者から見たとき、上記左目用の映像と上記右目用の映像とを、それら間の相対位置関係を維持しつつ、上記表示装置の中心を回転軸として回転移動させることにより、上記左目用の映像と上記右目用の映像との間において互いに対応する点同士を結ぶ直線が上記水平方向から傾く量を、上記傾き検出手段が検出した傾き量に一致させた表示態様であることが好ましい。
【００７１】
上記の構成によれば、鑑賞者の左右の目が並ぶ方向と左目用の映像と右目用の映像との間において互いに対応する点同士を結ぶ直線とが一致する。すなわち、鑑賞者の両眼は表示装置の映像に対し、平行な状態で鑑賞することができる。
【００７２】
それゆえ、鑑賞者が自ら鑑賞姿勢を変えることなく、立体映像を鑑賞することができる。
【００７３】
上記回転移動は、上記表示装置に表示される上記左目用の映像および上記右目用の映像の回転移動であることが好ましい。
【００７４】
上記の構成によれば、表示装置に表示される左目用の映像および右目用の映像そのものが回転する。すなわち、変更手段は、表示装置の表示態様の変更前後において、左目用の映像および右目用の映像は表示装置における相対位置を変化させる。
【００７５】
それゆえ、表示装置自体を回転させるといった特別な機構を別途設ける必要が無く、左目用の映像および右目用の映像を回転させるためのソフトウェアを用いた画像処理のみにより、上記の回転を実現することができる。
【００７６】
上記表示装置は、上記表示装置の中心を回転軸とする回転動作が可能であり、上記回転移動は、上記左目用の映像および上記右目用の映像を表示する上記表示装置の回転動作に基づく回転移動であることが好ましい。
【００７７】
上記の構成によれば、表示装置に表示される左目用の映像および右目用の映像そのものが回転する代わりに、表示装置自体が回転する。すなわち、変更手段は、表示装置の表示態様を変更する際、表示装置自体を回転させる。
【００７８】
表示装置に表示される左目用の映像および右目用の映像そのものを回転させた場合、例えば、表示装置の四方の端部に表示されていた映像の一部が回転により途切れてしまう場合がある。このような場合、その途切れた映像の一部を補間する処理や、その途切れを防止するための各々の映像を縮小する処理が必要となる。このような処理は画像処理を行う演算装置の演算処理能力の如何によっては多大な処理時間を要するものとなる。
【００７９】
上記の構成では、表示装置自体を回転させ、上で述べたような特別な画像処理が不要となる。それゆえ、左目用の映像および右目用の映像を回転させるためのソフトウェアを用いた特別な画像処理を要することなく、上記の回転を実現することができる。
【００８０】
さらに、上記に記載の視認切替用メガネを動作させる制御プログラムであって、コンピュータを上記の各手段として機能させるための制御プログラム、および、当該制御プログラムを記録したコンピュータ読み取り可能な記録媒体も本発明の技術的範囲に含まれる。また、上記に記載の表示制御装置を動作させる制御プログラムであって、コンピュータを上記の各手段として機能させるための制御プログラム、及び、当該制御プログラムを記録したコンピュータ読み取り可能な記録媒体も本発明の技術的範囲に含まれる。
【００８１】
上記制御プログラムによれば、コンピュータで上記手段を実現することにより、コンピュータ上で視認切替用メガネあるいは表示制御装置を実現することができる。また、上記記録媒体によれば、記録媒体から読み出される制御プログラムを、汎用のコンピュータ上で実現することができる。
【発明の効果】
【００８２】
本発明に係る視認切替用メガネは、以上のように、鑑賞者の左右の目の視認可否を切り替える視認切替用メガネであって、上記視認切替用メガネを装着する鑑賞者の顔が傾いたときにおける上記視認切替用メガネの傾き量を検出する傾き検出手段と、上記傾き検出手段の検出結果から、上記鑑賞者の左目に左目用の映像のみが視認され、右目に右目用の映像のみが視認されるという初期鑑賞映像態様を停止すべきか否かを判定する判定手段とを備えている。
【００８３】
それゆえ、立体映像の鑑賞中における鑑賞者の健康被害を抑制することができるという効果を奏する。
【図面の簡単な説明】
【００８４】
【図１】本発明の一実施形態に係る視認切替用メガネの要部構成を示すブロック図である。
【図２】鑑賞者の鑑賞姿勢の傾きを説明するための模式図であり、（ａ）は、鑑賞者が顔を傾けていない場合に対応し、（ｂ）は、鑑賞者が顔を傾けた場合に対応するものである。
【図３】左目用液晶シャッターおよび右目用液晶シャッターの開閉状態の切り替えの一例を示すタイミングチャートである。
【図４】左目用液晶シャッターおよび右目用液晶シャッターの開閉状態の切り替えの一例を示すタイミングチャートである。
【図５】左目用液晶シャッターおよび右目用液晶シャッターの開閉状態の切り替えの一例を示すタイミングチャートである。
【図６】本発明の他の実施形態に係る表示制御装置の要部構成を示すブロック図である。
【図７】本発明の他の実施形態に係る視認切替用メガネの要部構成を示すブロック図である。
【図８】ディスプレイの表示態様の一例を示す模式図である。
【図９】ディスプレイの表示態様の一例を示す模式図である。
【図１０】ディスプレイの表示態様の一例を示す模式図である。
【図１１】ディスプレイの表示態様の一例を示す模式図である。
【図１２】ディスプレイの表示態様の一例を示す模式図である。
【図１３】ディスプレイの表示態様の一例を示す模式図である。
【図１４】ディスプレイの表示態様の一例を示す模式図である。
【図１５】ディスプレイの表示態様の一例を示す模式図である。
【図１６】加速度センサーを用いた傾き量の検出方法を説明するための模式図であり、（ａ）は、座標系を示し、（ｂ）〜（ｄ）はそれぞれ、１軸加速度センサーを用いた場合における、基本姿勢、レンズ面回転、レンズ面あおりの状態を示し、（ｅ）〜（ｇ）はそれぞれ、２軸加速度センサーを用いた場合における、基本姿勢、レンズ面回転、レンズ面あおりの状態を示すものである。
【図１７】ディスプレイの表示態様の一例を示す模式図である。
【図１８】本発明の視認切替用メガネおよび表示制御装置を含む３Ｄ映像鑑賞システムの概略構成図である。
【発明を実施するための形態】
【００８５】
〔実施の形態１〕
本発明の実施の形態１について図１〜図５に基づいて説明すれば、以下のとおりである。説明の便宜上、図面に示した部材と同一の機能を有する部材については、同一の符号を付し、その説明を省略する。
【００８６】
（液晶シャッターメガネ１０の構成）
図１に基づき、本発明の実施の形態１に係る液晶シャッターメガネ（視認切替用メガネ）１０の要部構成について説明する。図１は、液晶シャッターメガネ１０の要部構成の一例を示すブロック図である。
【００８７】
液晶シャッターメガネ１０は、鑑賞者の左右の目の視認可否を切り替えるために、液晶シャッター１３を備えている。具体的には、液晶シャッター１３は、左目用映像の表示タイミングに同期して開閉可能な左目用液晶シャッター１３１と、右目用映像の表示タイミングに同期して開閉可能な右目用液晶シャッター１３２と、を備えている。これにより、鑑賞者は、当該視差映像を立体映像として鑑賞することができる。
【００８８】
また、液晶シャッターメガネ１０は、その他、主として同期信号受信部１１、シャッター制御部１２、報知部１４、傾きセンサー（傾き検出手段）１５、操作部１６および記憶部１７を備えている。
【００８９】
同期信号受信部１１は、表示制御装置３から出力された同期信号（シャッター同期信号）を受信するものである。同期信号受信部１１は、例えば赤外線を受信可能な赤外線受光素子、ＬＥＤ等からの光信号を受信可能な受光素子からなり、同期信号としての光信号を、シャッター制御部１２が処理可能な信号（例えばデジタル信号）に変換して、シャッター制御部１２に送信する。これにより、シャッター制御部１２のシャッター開閉制御部１２２は、ディスプレイ（表示装置）２に表示される視差映像の表示タイミングにあわせて液晶シャッター１３の開閉動作を制御することができる。そして、液晶シャッターメガネ１０を着用している鑑賞者に３Ｄ映像の製作者が意図する立体感を提供することができる。
【００９０】
シャッター制御部１２は、主として、傾き判定部（判定手段）１２１およびシャッター開閉制御部１２２を備え、例えば制御プログラムを実行することにより、液晶シャッターメガネ１０を構成する部材を制御するものである。シャッター制御部１２は、記憶部１７に格納されているプログラムを、例えばＲＡＭ等で構成される一次記憶部（不図示）に読み出して実行することにより、シャッター開閉動作の制御といった各種処理を行う。
【００９１】
傾き判定部１２１は、傾きセンサー１５が検出する液晶シャッターメガネ１０の傾き量を取得し、その傾き量から、立体映像を鑑賞する鑑賞者の鑑賞姿勢が望ましいものであるか否かを判定する。
【００９２】
液晶シャッターメガネ１０は鑑賞者の顔に装着され、鑑賞者の顔がディスプレイ２に対し傾いたとき、その傾きにより、液晶シャッターメガネ１０も傾くことになる。傾きセンサー１５は、後述するように、この液晶シャッターメガネ１０の傾き量を検出する。この傾き量は、鑑賞者の鑑賞姿勢を表わす指標である。
【００９３】
３Ｄコンソーシアム（３ＤＣ）安全ガイドライン部会による「３ＤＣ安全ガイドライン（２０１０年４月２０日改訂）」によれば、立体映像を鑑賞する鑑賞者の鑑賞姿勢は、両眼視差方式の場合、表示面の水平方向と両目を水平にした姿勢で見るのが望ましい、とされている。
【００９４】
傾き判定部１２１は、立体映像を鑑賞する鑑賞者の鑑賞姿勢が、この「３ＤＣ安全ガイドライン（２０１０年４月２０日改訂）」にあるような望ましい鑑賞姿勢であるか否かを判定することになる。
【００９５】
なお、シャッター制御部１２のシャッター開閉制御部１２２は、鑑賞者が立体映像を鑑賞する際、通常、鑑賞者の左目に左目用の映像のみが視認され、右目に右目用の映像のみが視認されるという鑑賞映像態様（初期鑑賞映像様態）を実行している。
【００９６】
傾き判定部１２１が鑑賞者の鑑賞姿勢が望ましいものではないと判定したということは、その鑑賞姿勢のままでは初期鑑賞映像様態を停止しなければならないことを意味する。したがって、傾き判定部１２１は、鑑賞者の左目に左目用の映像のみが視認され、右目に右目用の映像のみが視認されるという初期鑑賞映像様態を停止すべきか否かを判定するものであるともいえる。
【００９７】
傾きセンサー１５は、液晶シャッターメガネ１０の傾き量を検出する。上述したように、傾きセンサー１５が検出する傾き量は、鑑賞者の鑑賞姿勢を表わす指標である。傾きセンサー１５は、例えば加速度センサーやジャイロセンサーを用いることができる。
【００９８】
ここで、傾きセンサー１５が検出する傾き量について説明する。図２は、鑑賞者の鑑賞姿勢の傾きを説明するための模式図であり、図２（ａ）は、鑑賞者が顔を傾けていない場合に対応し、図２（ｂ）は、鑑賞者が顔を傾けた場合に対応するものである。
【００９９】
先ず、図２（ａ）においては、鑑賞者２１が液晶シャッターメガネ１０を装着している。ディスプレイ２には左目用の映像３３Ｌと右目用の映像３３Ｒとが交互に表示される。左目用の映像３３Ｌは、液晶シャッターメガネ１０の左目用液晶シャッター１３１を通して、鑑賞者２１の左目２１Ｌに映し出される。一方、右目用の映像３３Ｒは、液晶シャッターメガネ１０の右目用液晶シャッター１３２を通して、鑑賞者２１の右目２１Ｒに映し出される。
【０１００】
ここで、鑑賞者２１の顔がディスプレイ２に対し、傾いていない。具体的には、鑑賞者２１の左目２１Ｌと右目２１Ｒとが並ぶ方向３１は、ディスプレイ２の水平方向３２から傾いておらず、鑑賞者２１の鑑賞姿勢は、ディスプレイ２の水平方向と鑑賞者２１の左目２１Ｌと右目２１Ｒとが並ぶ方向３１を水平にした姿勢で見ているといえる。
【０１０１】
鑑賞者２１は、左目用の映像３３Ｌと右目用の映像３３Ｒとから、立体映像３３を立体視することができる。
【０１０２】
これに対し、図２（ｂ）においては、鑑賞者２１の顔はディスプレイ２に対し、傾いている。具体的には、鑑賞者２１の左目２１Ｌと右目２１Ｒとが並ぶ方向３１´が、ディスプレイ２の水平方向３２から角度θ（傾き量）だけ傾いている。この場合、鑑賞者２１の鑑賞姿勢は、ディスプレイ２の水平方向と鑑賞者２１の左目２１Ｌと右目２１Ｒとが並ぶ方向３１を水平にした姿勢で見ているとはいえない。つまり、鑑賞者２１の鑑賞姿勢は望ましいものではないといえる。
【０１０３】
傾きセンサー１５は、鑑賞者２１の左目２１Ｌと右目２１Ｒとが並ぶ方向３１、３１´がディスプレイ２の水平方向から傾く角度を検出する。この角度は、図２（ａ）の場合であれば０度であるといえる。傾きセンサー１５は、このようにして検出する角度を傾き量とし、シャッター制御部１２に出力する。
【０１０４】
シャッター開閉制御部１２２は、同期信号受信部１１が受信した同期信号にあわせて左目用液晶シャッター１３１および右目用液晶シャッター１３２の開閉動作を制御する。これにより、表示タイミングにあわせた開閉動作の制御を実現することができる。すなわち、シャッター開閉制御部１２２は、同期信号を基に、鑑賞者の左目に左目用の映像のみが視認され、右目に右目用の映像のみが視認されるという初期鑑賞映像様態を実行している。
【０１０５】
一方、シャッター開閉制御部１２２は、傾き判定部１２１が鑑賞者の鑑賞姿勢が望ましいものではないと判定した場合、同期信号にあわせた上記の初期鑑賞映像様態に代えて、予め定められた鑑賞映像様態（第２次鑑賞映像様態）が実行されるよう、左目用液晶シャッター１３１および右目用液晶シャッター１３２の開閉動作を制御する。この第２次鑑賞映像様態については後述する。
【０１０６】
報知部１4は、傾き判定部１２１が鑑賞者の鑑賞姿勢が望ましいものではないと判定した場合、その旨を鑑賞者に報知するものである。この報知は、音（ビープ音）によって行われてもよいし、左目用液晶シャッター１３１および右目用液晶シャッター１３２のいずれかまたは両方に画像を映し出したり、光を当てたりすることによって行われてもよい。
【０１０７】
操作部１６は、電源のオン／オフの切替指示等、鑑賞者の操作を受け付けるものである。
【０１０８】
記憶部１７は、シャッター制御部１２が実行する（１）各部の制御プログラム、（２）ＯＳプログラム、（３）アプリケーションプログラム、および、（４）これらプログラムを実行するときに読み出す各種データを記憶するものである。記憶部１７は、例えばＲＯＭフラッシュメモリなどの不揮発性の記憶装置によって構成されるものである。
【０１０９】
また、記憶部１７は、初期鑑賞映像様態に代えて第２次鑑賞映像様態が実行される際、シャッター開閉制御部１２２が制御すべき左目用液晶シャッター１３１および右目用液晶シャッター１３２の開閉動作の内容についても記憶している。
【０１１０】
（傾きセンサー１５の傾き量の閾値）
傾き判定部１２１は、上述したように、傾きセンサー１５が検出する傾き量から、鑑賞者の鑑賞姿勢が望ましいものであるか否かを判定する。この判定の際、実際には、傾き量がどのくらいの大きさであれば、鑑賞者の鑑賞姿勢が望ましいものではないと判定することができるか、を示す閾値が必要となる。傾き判定部１２１は、この閾値と傾きセンサー１５が検出する傾き量との大小比較により、上記の判定を行うことができる。
【０１１１】
例えば、「３ＤＣ安全ガイドライン（２０１０年４月２０日改訂）」によれば、その鑑賞姿勢に関する項目＜ＧＬ−３＞および＜ＧＬ−４＞にはそれぞれ、下記（ａ）および（ｂ）の記述があることから、鑑賞姿勢が傾くと疲労を誘発することは間違いない。
【０１１２】
（ａ）両眼が表示面に対して斜めになっていると、左右の眼に写る映像の上下の差異が大きくなり、融合困難となり、眼精疲労を引き起こす。
【０１１３】
（ｂ）画面を斜め方向からみると台形ひずみが大きくなり、適切な立体像が得られにくくなるため、疲労や酔いの原因になる場合がある。
【０１１４】
本実施形態では、例えば、傾きセンサー１５が検出する傾き量である図２（ｂ）の角度θが−５度〜５度の範囲内であれば鑑賞者の鑑賞姿勢が望ましいものであり、この−５度〜５度の範囲から外れた場合に鑑賞者の鑑賞姿勢が望ましいものではないと判定するようにすればよい。この場合、傾き判定部１２１は、傾きセンサー１５が検出する傾き量と−５度および５度との大小比較を行い、その比較結果から上記の判定を行うことになる。
【０１１５】
なお、上で述べた−５度〜５度の範囲は単なる一例であり、鑑賞者ごとにその範囲の最適値が異なるのはいうまでもない。疲労の感じ方には個人差があるので、疲労を感じ易い人には、より狭い範囲を設定することにより、立体映像が鑑賞されないように制御することができる。
【０１１６】
（傾き量決定部）
鑑賞者は多様であり、例えば、突発的な顔の動作（うなずき等）を行う者や、立体映像を鑑賞している状態であっても顔が常に動いている者もいる。このような場合において、上で述べたような範囲から繰り返し外れ、その度に、傾き判定部１２１が鑑賞者の鑑賞姿勢が望ましいものではないと判定すると、不必要に第２次鑑賞映像様態が実行されることになる。このことは、鑑賞者にしてみれば非常に煩わしいことである。
【０１１７】
そこで、傾き判定部１２１は、傾きセンサー１５が検出する傾き量を上記の判定に用いるべきか否かを決定する傾き量決定部（決定手段）１２１ａを有することが好ましい。例えば、傾きセンサー１５が加速度センサーであった場合、この傾き量決定部１２１ａは、以下のようにして、傾きセンサー１５である加速度センサーが検出する加速度を傾き判定部１２１が行う判定に用いるべきか否かを決定すればよい。
【０１１８】
（ａ）突発的な顔の動作（うなずき等）がある鑑賞者
・一定の時間（例えば０．５秒間）、加速度の値をモニターしておき、その間変化がない場合、静止状態であると判定する。この場合、傾き量決定部１２１ａは、その加速度は傾き判定部１２１が行う判定に用いるべきではないと決定する。
【０１１９】
・３軸加速度センサーを利用する場合、ｘ方向、ｙ方向およびｚ方向の各出力から加速度ベクトルの絶対値を求め、その絶対値が約１Ｇ（Ｇ：重力加速度）であれば静止状態であると判定する。この場合、傾き量決定部１２１ａは、その加速度は傾き判定部１２１が行う判定に用いるべきではないと決定する。
【０１２０】
（ｂ）ディスプレイ２を視聴している状態であっても顔が常に動いている鑑賞者
・一定の時間（例えば０．５秒間）、加速度の値を積分し、積分した値が約１Ｇであれば、正常視聴状態であると判定する。この場合、傾き量決定部１２１ａは、その加速度は傾き判定部１２１が行う判定に用いるべきではないと決定する。
【０１２１】
・一定の時間（例えば０．５秒間）、ｚ方向の加速度の差分をモニターしておき、加速度の差分の符号（プラスおよびマイナス）が一定時間の間２回以上変化する場合、正常視聴状態であると判定する。この場合、傾き量決定部１２１ａは、その加速度は傾き判定部１２１が行う判定に用いるべきではないと決定する。
【０１２２】
なお、上で述べた決定は単なる一例であり、鑑賞者ごとにその決定のやり方に差が生じるのはいうまでもない。疲労の感じ方には個人差があるので、疲労を感じ易い人には、より上記の判定結果が出易いように、制御することができる。
【０１２３】
（第２次鑑賞映像様態の内容）
上述したように、傾き判定部１２１が鑑賞者の鑑賞姿勢が望ましいものではないと判定した場合、初期鑑賞映像様態に代えて第２次鑑賞映像様態が実行される。図３〜図５は、この第２次鑑賞映像様態を実行される際、シャッター開閉制御部１２２が制御すべき左目用液晶シャッター１３１および右目用液晶シャッター１３２の開閉動作の内容を説明するためのタイミングチャートである。
【０１２４】
図３では、鑑賞者の左右の目の並びが水平に対して傾いていない場合、鑑賞者が装着している液晶シャッターメガネ１０も傾かない。よって、傾きセンサー１５は液晶シャッターメガネ１０の傾きを検出しない。
【０１２５】
これを受けて、シャッター開閉制御部１２２は、右目用の映像である画像１Ｒがディスプレイ２に表示されると、左目用液晶シャッター１３１を閉じ、右目用液晶シャッター１３２を開ける。次に、左目用の映像である画像１Ｌがディスプレイ２に表示されると、左目用液晶シャッター１３１を開け、右目用液晶シャッター１３２を閉じる。右目用の映像である画像２Ｒ、左目用の映像である画像２Ｌについても、同様に、左目用液晶シャッター１３１および右目用液晶シャッター１３２の開閉が制御される。
【０１２６】
このようにして、左目用液晶シャッター１３１はディスプレイ２に左目用の映像である画像１Ｌ、２Ｌが表示されているときだけ光を透過するので鑑賞者の左目には画像１Ｌ、画像２Ｌだけが映し出される。同様に、右目用液晶シャッター１３２はディスプレイ２に右目用の映像である画像１Ｒ、２Ｒが表示されているときだけ光を透過するので鑑賞者の右目には画像１Ｒ、画像２Ｒだけが映し出される。したがって、鑑賞者には立体映像が見える。
【０１２７】
一方、鑑賞者の左右の眼の並びが水平に対して所定の角度（例えば、５度）を超えて傾いている場合、鑑賞者が装着している液晶シャッターメガネ１０も傾く。よって、傾きセンサー１５は液晶シャッターメガネ１０の傾きを検出（図中「傾き検出」で示されたタイミング）し、傾き判定部１２１が鑑賞者の鑑賞姿勢が望ましいものではないと判定する。
【０１２８】
これを受けて、シャッター開閉制御部１２２は、右目用の映像である画像３Ｒがディスプレイ２に表示されると、左目用液晶シャッター１３１および右目用液晶シャッター１３２を共に閉じる。次に、左目用の映像である画像３Ｌがディスプレイ２に表示されると、左目用液晶シャッター１３１および右目用液晶シャッター１３２を共に開ける。右目用の映像である画像４Ｒ、左目用の映像である画像４Ｌについても、同様に、左目用液晶シャッター１３１および右目用液晶シャッター１３２の開閉が制御される。
【０１２９】
このようにして、左目用液晶シャッター１３１および右目用液晶シャッター１３２はディスプレイ２に左目用の映像である画像３Ｌ、画像４Ｌが表示されているときだけ光を透過するので鑑賞者の左右の目に画像３Ｌ、画像４Ｌだけが映し出される。したがって、鑑賞者には立体映像が見えない。
【０１３０】
すなわち、図３のタイミングチャートは、第２次鑑賞映像様態が、左目用の映像および右目用の映像の一方が鑑賞者の左右の目の両方に視認されるという切り替えであることを表わしている。もちろん、鑑賞者の左右の目に画像３Ｒ、画像４Ｒだけが映し出されるようにしても構わない。
【０１３１】
図４では、傾き判定部１２１が鑑賞者の鑑賞姿勢が望ましいものではないと判定した場合（図中「傾き検出」で示されたタイミング）、つまり、鑑賞者の左右の目の並びが水平に対して所定の角度（例えば、５度）を超えて傾いている場合、鑑賞者が装着している液晶シャッターメガネ１０も傾く。よって、傾きセンサー１５は液晶シャッターメガネ１０の傾きを検出する。
【０１３２】
これを受けて、シャッター開閉制御部１２２は、右目用の映像である画像３Ｒがディスプレイ２に表示されると、左目用液晶シャッター１３１および右目用液晶シャッター１３２を共に閉じる。同様に、左目用の映像である画像３Ｌがディスプレイ２に表示されても引き続き、左目用液晶シャッター１３１および右目用液晶シャッター１３２を共に閉じる。右目用の映像である画像４Ｒ、左目用の映像である画像４Ｌについても、同様に、左目用液晶シャッター１３１および右目用液晶シャッター１３２は共に閉じられている。
【０１３３】
このようにして、左目用液晶シャッター１３１および右目用液晶シャッター１３２はディスプレイ２に左目用の映像である画像３Ｌ、画像４Ｌ、右目用の映像である画像３Ｒ、画像４Ｒのいずれが表示されているときでも光を透過せず、鑑賞者の左右の目には、画像３Ｌ、画像４Ｌ、画像３Ｒ、画像４Ｒのいずれも映し出されることはない。したがって、鑑賞者には映像が全く見えない。
【０１３４】
すなわち、図４のタイミングチャートは、第２次鑑賞映像様態が、左目用の映像および右目用の映像の両方が鑑賞者の左右の目の両方に視認されないという切り替えであることを表わしている。
【０１３５】
図５では、傾き判定部１２１が鑑賞者の鑑賞姿勢が望ましいものではないと判定した場合（図中「傾き検出」で示されたタイミング）、つまり、鑑賞者の左右の目の並びが水平に対して所定の角度（例えば、５度）を超えて傾いている場合、鑑賞者が装着している液晶シャッターメガネ１０も傾く。よって、傾きセンサー１５は液晶シャッターメガネ１０の傾きを検出する。
【０１３６】
これを受けて、シャッター開閉制御部１２２は、右目用の映像である画像３Ｒがディスプレイ２に表示されると、左目用液晶シャッター１３１および右目用液晶シャッター１３２を共に開ける。同様に、左目用の映像である画像３Ｌがディスプレイ２に表示されても引き続き、左目用液晶シャッター１３１および右目用液晶シャッター１３２を共に開ける。右目用の映像である画像４Ｒ、左目用の映像である画像４Ｌについても、同様に、左目用液晶シャッター１３１および右目用液晶シャッター１３２は共に開けられている。
【０１３７】
このようにして、左目用液晶シャッター１３１および右目用液晶シャッター１３２はディスプレイ２に左目用の映像である画像３Ｌ、画像４Ｌ、右目用の映像である画像３Ｒ、画像４Ｒのいずれが表示されているときでも光を透過し、鑑賞者の左右の目には、画像３Ｌ、画像４Ｌ、画像３Ｒ、画像４Ｒのいずれも映し出されることになる。したがって、鑑賞者には立体映像が見えない。
【０１３８】
すなわち、図５のタイミングチャートは、第２次鑑賞映像様態が、左目用の映像および右目用の映像の両方が鑑賞者の左右の目の両方に視認されるという切り替えであることを表わしている。
【０１３９】
（液晶シャッターメガネ１０の効果）
以上のように、傾き判定部１２１は、傾きセンサー１５が検出する液晶シャッターメガネ１０の傾き量から、立体映像を鑑賞する鑑賞者の鑑賞姿勢が望ましいものであるか否かを判定する。この判定結果を用いることにより、例えば、鑑賞者は、自身の鑑賞姿勢が立体映像を鑑賞するのに望ましいか否かを認識することができる。
【０１４０】
さらに、鑑賞者の鑑賞姿勢が望ましいものではないと判定した場合、シャッター開閉制御部１２２は、それまでの初期鑑賞映像様態とは異なる第２次鑑賞映像様態を実行し、鑑賞者の左右の目がそれぞれ視認する映像を変化させる。
【０１４１】
このため、鑑賞者は、自身の鑑賞姿勢が望ましいものではないと判定されたことについて、その変化により、確実に認識することができる。
【０１４２】
それゆえ、立体映像の鑑賞中における鑑賞者の鑑賞姿勢に起因する健康被害を抑制することができる。
【０１４３】
〔実施の形態２〕
本発明の実施の形態２では、鑑賞者の鑑賞姿勢が望ましいものではないと判定された場合、その判定結果が液晶シャッターメガネから表示制御装置に出力され、その出力を受けて、表示制御装置がディスプレイの表示態様を変更する実施の形態である。
【０１４４】
（表示制御装置５０の構成）
図６に基づき、本発明の実施の形態２に係る表示制御装置５０の要部構成について説明する。図６は、表示制御装置５０の要部構成の一例を示すブロック図である。
【０１４５】
表示制御装置５０は、視差映像をディスプレイ２に表示し、液晶シャッターメガネ１０ａを介して鑑賞者に立体映像を鑑賞させるものである。表示制御装置５０は、これらの構成を実現するために、主として、制御部５１、同期信号出力部５６、傾き検出信号受信部５７、および、記憶部５８を備えている。
【０１４６】
制御部５１は、主として、映像出力制御部５２、同期信号出力制御部５３、映像変更制御部（変更手段）５４、および、ディスプレイ駆動制御部５５を備え、例えば制御プログラムを実行することにより、表示制御装置５０を構成する部材を制御するものである。制御部５１は、記憶部５８に格納されているプログラムを、例えばＲＡＭ（Random Access Memory）等で構成される一次記憶部（不図示）に読み出して実行することにより、後述する映像変更制御やディスプレイ駆動制御、シャッター同期信号の出力制御等の各種処理を行う。
【０１４７】
映像出力制御部５２は、例えば後述する図１８の記録再生装置５によって再生された視差映像を映像ソースとして受信し、当該視差映像である左目用の映像および右目用の映像をディスプレイ２に交互に出力する。すなわち、映像出力制御部５２は、この出力により、左目用の映像および右目用の映像を交互にディスプレイ２に表示させる。そして、鑑賞者は、ディスプレイ２に表示される視差映像を液晶シャッターメガネ１０ａを介して鑑賞することにより、当該視差映像を立体映像として鑑賞することができる。
【０１４８】
また、映像出力制御部５２は、左目用の映像および右目用の映像それぞれのディスプレイ２での表示タイミング（左目用の映像および右目用の映像の切替タイミング）を示す表示タイミング信号を同期信号出力制御部５３に送信する。
【０１４９】
映像変更制御部５４は、映像出力制御部５２が出力する左目用の映像および右目用の映像がディスプレイ２に表示される際における表示態様（ディスプレイの表示態様）を変更するものである。映像変更制御部５４は、鑑賞者が液晶シャッターメガネ１０ａを装着し、立体映像を鑑賞する際、映像変更制御部５４は、液晶シャッターメガネ１０ａの視認可否の切り替えタイミングと同期して、左目用の映像および右目用の映像を交互にディスプレイ２に表示させる。このときのディスプレイ２の表示態様を「立体映像表示態様」と呼ぶ。
【０１５０】
一方、映像変更制御部５４は、傾き検出信号受信部５７を用いて、液晶シャッターメガネ１０ａから傾き検出信号（判定信号）を受け取ると、ディスプレイ２の表示態様を、上記の立体映像表示態様から予め定められた第２次映像表示態様に変更する。
【０１５１】
また、映像変更制御部５４は、映像出力制御部５２を介することなく、ディスプレイ２に所定の映像を直接出力することも可能である。この所定の映像は、例えば、後述する「警告メッセージ」である。なお、このような映像変更制御部５４が直接ディスプレイ２に出力し、表示させる所定の映像が加わった上記の立体映像表示態様についても、上記の第２次映像表示態様と呼ぶこととする。
【０１５２】
さらに、映像変更制御部５４は、ディスプレイ駆動制御部５５を用いて、ディスプレイ２を所定の回転動作させるディスプレイ駆動装置４を制御することも可能である。この所定の回転動作は、例えば、後述するディスプレイの中心を回転軸とする回転動作である。なお、このような映像変更制御部５４がディスプレイ駆動制御部５５を用いて、ディスプレイ２を所定の回転動作させた表示態様についても、上記の第２次映像表示態様と呼ぶこととする。
【０１５３】
同期信号出力制御部５３は、映像出力制御部５２から表示タイミング信号を受信すると、同期信号出力部５６を制御することにより、当該表示タイミング信号を、液晶シャッターメガネ１０ａがディスプレイ２に表示される視差映像との同期をとるためのシャッター同期信号として出力させる。
【０１５４】
同期信号出力部５６は、同期信号出力制御部５３から受信したシャッター同期信号を出力するものである。同期信号出力部５６は、例えば赤外線を出力可能な赤外線発光素子、発光ダイオード（ＬＥＤ；Light Emitting Diode）や半導体レーザ（ＬＤ；Laser Diode）等の半導体発光素子からなり、シャッター同期信号を赤外線等の光信号に変換して出力する。
【０１５５】
このように、表示制御装置５０がシャッター同期信号を出力し、当該シャッター同期信号を液晶シャッターメガネ１０ａが受信することにより、液晶シャッターメガネ１０ａにおいて液晶シャッター１３の開閉動作をディスプレイ２に表示される視差映像に同期させることができる。これにより、鑑賞者に３Ｄ映像の製作者が意図する立体感を提供することができる。
【０１５６】
傾き検出信号受信部５７は、液晶シャッターメガネ１０ａから出力される傾き検出信号を受信するものである。傾き検出信号受信部５７は、例えば赤外線を受信可能な赤外線受光素子、ＬＥＤ等からのレーザ光を受信可能なレーザ光受光素子からなり、傾き信号としての光信号を、映像変更制御部５４が処理可能な信号（例えばデジタル信号）に変換して、映像変更制御部５４に送信する。なお、同期信号と傾き検出信号とが混線することのないように、互いに異なる周波数帯域を用いることが好ましい。
【０１５７】
ディスプレイ駆動制御部５５は、ディスプレイ２を回転動作させるためのディスプレイ駆動装置を用いて、ディスプレイ２を回転動作させる。このディスプレイ２の回転動作は、鑑賞者が視認する表示面の中心を回転軸とする回転動作であってもよいし、その表示面と直交するディスプレイ２の側面のいずれかの中心を回転軸とする回転動作であってもよい。ディスプレイ駆動装置４は、このような回転動作を実現する機構を備えている。
【０１５８】
記憶部５８は、制御部５１が実行する（１）各部の制御プログラム、（２）ＯＳプログラム、（３）アプリケーションプログラム、および、（４）これらプログラムを実行するときに読み出す各種データを記録するものである。記憶部５８は、例えばＲＯＭ（Read Only Memory）やフラッシュメモリなどの不揮発性の記憶装置によって構成されるものである。
【０１５９】
また、記憶部５８は、映像変更制御部５４が変更すべき第２次映像表示態様の内容についても記憶している。
【０１６０】
（液晶シャッターメガネ１０ａの構成）
図７に基づき、本発明の実施の形態２に係る液晶シャッターメガネ（視認切替用メガネ）１０ａの要部構成について説明する。図７は、液晶シャッターメガネ１０ａの要部構成の一例を示すブロック図である。
【０１６１】
液晶シャッターメガネ１０ａが上記の実施の形態１の液晶シャッターメガネ１０と異なる点は、傾き検出信号出力部１８をさらに備えている点である。以下、上記の実施の形態１と同様の部分については、同一符号を付し、その詳細な説明は省略する。
【０１６２】
上述したように、傾き判定部１２１は、立体映像を鑑賞する鑑賞者の鑑賞姿勢が望ましい鑑賞姿勢であるか否かを判定する。傾き検出信号出力部１８は、傾き判定部１２１が鑑賞者の鑑賞姿勢が望ましいものではないと判定した場合、その判定結果を表わす傾き検出信号（判定信号）を表示制御装置５０に出力する。この傾き検出信号は、上で述べたように、傾き判定部１２１が鑑賞者の鑑賞姿勢が望ましいものではないと判定したことを表わすと共に、さらに、傾きセンサー１５が検出した傾き量を表わす傾き量信号を含んでいてもよい。
【０１６３】
傾き検出信号出力部１８は、例えば赤外線を出力可能な赤外線発光素子、発光ダイオード（ＬＥＤ；Light Emitting Diode）や半導体レーザ（ＬＤ；Laser Diode）等の半導体発光素子からなり、シャッター同期信号を赤外線等の光信号に変換して出力する。
【０１６４】
このように、液晶シャッターメガネ１０ａが傾き検出信号を出力し、当該傾き検出信号を表示制御装置５０が受信することにより、液晶シャッターメガネ１０ａの傾き判定部１２１が鑑賞者の鑑賞姿勢が望ましいものではないと判定したとき、表示制御装置５０においてディスプレイ２の表示態様を立体映像表示態様から第２次映像表示態様へ変更させることができる。
【０１６５】
（第２次映像表示態様の内容）
上述したように、液晶シャッターメガネ１０ａの傾き判定部１２１が鑑賞者の鑑賞姿勢が望ましいものではないと判定した場合、表示制御装置５０の映像変更制御部５４は、ディスプレイ２の表示態様を、立体映像表示態様から第２次映像表示態様へ変更する。図９〜図１５は、この立体映像表示態様から変更される第２次映像表示態様の内容を説明するための模式図である。なお、図８は、立体映像表示態様を表わす模式図であり、左目用の映像１０１Ｌと、右目用の映像１０１Ｒとがディスプレイ２ａに交互に表示される表示態様である。
【０１６６】
図９では、左目用の映像１０１Ｌのみがディスプレイ２ｂに表示されている。すなわち、図９の表示態様は、左目用の映像１０１Ｌおよび右目用の映像１０１Ｒのうち左目用の映像１０１Ｌのみが表示されるという第２次映像表示態様である。もちろん、右目用の映像１０１Ｒのみが表示されるという第２次映像表示態様であってもよい。
【０１６７】
図１０は、左目用の映像１０１Ｌと、右目用の映像１０１Ｒとがディスプレイ２ｃに交互に表示されており、さらに、警告メッセージ１０２もディスプレイ２ｃに表示されている。すなわち、図１０の表示態様は、傾き判定部１２１が鑑賞者の鑑賞姿勢が望ましいものではないと判定した判定結果を鑑賞者に報知するためのメッセージが表示されるという表示態様である。
【０１６８】
図１１では、左目用の映像１０１Ｌおよび右目用の映像１０１Ｒのいずれもがディスプレイ２ｄに表示されていない。すなわち、図１１の表示態様は、ディスプレイ２ｄに映像が表示されないという表示態様である。
【０１６９】
図１２では、左目用の映像１０１Ｌのみがディスプレイ２ｅに表示されており、さらに、警告メッセージ１０３もディスプレイ２ｅに表示されている。すなわち、図１２の表示態様は、傾き判定部１２１が鑑賞者の鑑賞姿勢が望ましいものではないと判定した判定結果を鑑賞者に報知するためのメッセージが表示され、かつ、平面映像が表示されるという表示態様（報知映像表示様態）である。なお、鑑賞者に対し、鑑賞姿勢が望ましいものではないということを報知することが可能であれば警告メッセージの代わりに、警告マーク、画面の点滅動作等の映像表示様態であってもよい。
【０１７０】
図１３では、左目用の映像１０１Ｌと、右目用の映像１０１Ｒとがディスプレイ２ｆに交互に表示されているが、傾き量信号が表わす傾き量を用いて、左目用の映像１０１Ｌおよび右目用の映像１０１Ｒの各々に関し、ディスプレイ２ｆにおける位置を変化させている。その変化後の映像が左目用の映像１０１Ｌ´および右目用の映像１０１Ｒ´である。
【０１７１】
すなわち、図１３の表示態様は、左目用の映像１０１Ｌと右目用の映像１０１Ｒとを互いに鉛直方向に沿って反対の向き３４に移動させることにより、左目用の映像１０１Ｌと右目用の映像１０１Ｒとの間において互いに対応する点同士を結ぶ直線が水平方向３２から傾く量を、傾きセンサー１５が検出した傾き量に一致させた表示態様である。
【０１７２】
図１４でも、左目用の映像１０１Ｌと、右目用の映像１０１Ｒとがディスプレイ２ｇに交互に表示されているが、傾き量信号が表わす傾き量を用いて、左目用の映像１０１Ｌおよび右目用の映像１０１Ｒの各々に関し、ディスプレイ２ｇにおける位置を変化させている。その変化後の映像が左目用の映像１０１Ｌ´´および右目用の映像１０１Ｒ´´である。なお、傾き量信号が表わす傾き量は、鑑賞者の左右の目が並ぶ方向が水平方向から傾く傾き量である。
【０１７３】
すなわち、図１４の表示態様は、鑑賞者から見たとき、左目用の映像１０１Ｌと右目用の映像１０１Ｒとを、それら間の相対位置関係を維持しつつ、ディスプレイ２ｇの中心を回転軸として回転移動させることにより、左目用の映像１０１Ｌと右目用の映像１０１Ｒとの間において互いに対応する点同士を結ぶ直線３５が水平方向３２から傾く量を、傾きセンサー１５が検出した傾き量に一致させた表示態様である。
【０１７４】
また、図１４の表示態様は、左目用の映像１０１Ｌから左目用の映像１０１Ｌ´´へ、および、右目用の映像１０１Ｒから右目用の映像１０１Ｒ´´への回転移動によるものである。
【０１７５】
図１５の表示態様は、図１４の表示態様とは異なり、左目用の映像１０１Ｌおよび右目用の映像１０１Ｒを表示するディスプレイ２ｈ自体の回転動作に基づくものである。
【０１７６】
（表示制御装置５０および液晶シャッターメガネ１０ａの効果）
以上のように、傾き判定部１２１は、傾きセンサー１５が検出する液晶シャッターメガネ１０の傾き量から、立体映像を鑑賞する鑑賞者の鑑賞姿勢が望ましいものであるか否かを判定する。この判定結果を用いることにより、例えば、鑑賞者は、自身の鑑賞姿勢が立体映像を鑑賞するのに望ましいか否かを認識することができる。
【０１７７】
さらに、鑑賞者の鑑賞姿勢が望ましいものではないと判定した場合、映像変更制御部５４は、ディスプレイ２の表示態様を、立体映像表示態様から、その立体映像表示態様とは異なる第２次映像表示態様を変更する。
【０１７８】
このため、鑑賞者は、自身の鑑賞姿勢が望ましいものではないと判定されたことについて、その大きな変化により、確実に認識することができる。
【０１７９】
また、複数の鑑賞者が同時に立体映像を鑑賞していた場合、そのうちのいずれかの鑑賞者の鑑賞姿勢が望ましいものではないことを、残りの鑑賞者が知ることができ、注意を喚起することができる。
【０１８０】
それゆえ、立体映像の鑑賞中における鑑賞者の鑑賞姿勢に起因する健康被害を確実に抑制することができる。
【０１８１】
〔傾き量の検出方法〕
上述したように、傾きセンサー１５は、加速度センサーを用いることができる。ここでは、この加速度センサーを用いた場合における傾き量の検出方法について説明する。図１６は、加速度センサーを用いた傾き量の検出方法を説明するための模式図であり、（ａ）は、座標系を示し、（ｂ）〜（ｄ）はそれぞれ、１軸加速度センサーを用いた場合における、基本姿勢、レンズ面回転、レンズ面あおりの状態を示し、（ｅ）〜（ｇ）はそれぞれ、２軸加速度センサーを用いた場合における、基本姿勢、レンズ面回転、レンズ面あおりの状態を示すものである。
【０１８２】
図１６（ａ）に示すように、液晶シャッターメガネ１０には、加速度センサーである傾きセンサー１５が設けられている。例えば、１軸加速度センサーであれば、図１６（ｂ）に示すように、鑑賞者が基本姿勢をとった場合、ｚ方向の加速度４２は１Ｇ４１となる。このことから、鑑賞者の顔が傾いていないことがわかる。
【０１８３】
図１６（ｃ）に示すように、レンズ面回転が起こった場合、ｚ方向の加速度４３は１Ｇ×ｃｏｓθとなり、１Ｇ４１との大小比較により、鑑賞者の顔が傾いていることがわかる。
【０１８４】
図１６（ｄ）に示すように、レンズ面あおりが起こった場合も、ｚ方向の加速度４４は１Ｇ×ｃｏｓφとなり、１Ｇ４１との大小比較により、鑑賞者の顔が傾いていることがわかる。
【０１８５】
次に、２軸加速度センサーであれば、図１６（ｅ）に示すように、鑑賞者が基本姿勢をとった場合、ｘ方向の加速度は０Ｇ、ｚ方向の加速度４５は１Ｇ４１となる。このことから、鑑賞者の顔が傾いていないことがわかる。
【０１８６】
図１６（ｆ）に示すように、レンズ面回転が起こった場合、ｘ方向の加速度４６は１Ｇ×ｓｉｎθ、ｚ方向の加速度４７は１Ｇ×ｃｏｓθとなり、ｘ方向の加速度４６とｚ方向の加速度４７との絶対値と１Ｇ４１との大小比較により、鑑賞者の顔が傾いていることがわかる。
【０１８７】
図１６（ｇ）に示すように、レンズ面あおりが起こった場合も、ｘ方向の加速度は０Ｇ、ｚ方向の加速度４８は１Ｇ×ｃｏｓφとなり、ｘ方向の加速度とｚ方向の加速度４８との絶対値と１Ｇとの大小比較により、鑑賞者の顔が傾いていることがわかる。
【０１８８】
〔レンズ面あおりの場合〕
図１７は、図１６（ｄ）および（ｇ）に示したレンズ面あおりが起きた場合における、ディスプレイ２の第２次映像表示態様の一例を示す模式図である。
【０１８９】
図１７に示すように、鑑賞者２１の顔が矢印６１の向きに傾いたとき、映像変更制御部５４はディスプレイ駆動制御部５５を用いて、ディスプレイ駆動装置４を制御する。その制御により、ディスプレイ２は矢印６２の向きに回転動作し、その位置がディスプレイ２ｉの位置へ変更される。
【０１９０】
〔３Ｄ映像鑑賞システムの概略構成〕
最後に、液晶シャッターメガネ１０、１０ａと表示制御装置３、５０とを含む３Ｄ映像鑑賞システム１、１ａを図１８により説明する。図１８は、３Ｄ映像鑑賞システム１、１ａの概略構成図である。
【０１９１】
３Ｄ映像鑑賞システム１、１ａは、記録再生装置５によって再生され、表示制御装置３、５０と接続されたディスプレイ２において表示される視差映像を、液晶シャッターメガネ１０、１０ａを装着する鑑賞者には３次元映像（３Ｄ映像、立体映像）を鑑賞させるものである。
【０１９２】
図示するように、３Ｄ映像鑑賞システム１、１ａは、おもに表示制御装置３、５０と、ディスプレイ２と、液晶シャッターメガネ１０、１０ａと、記録再生装置５と、中継器６と、操作部７とを備える。図８では、表示制御装置３、５０とディスプレイ２とが一体に構成されている。
【０１９３】
表示制御装置３、５０は、例えば記録再生装置５によって再生される映像をディスプレイ２に表示させるものである。ディスプレイ２は、表示制御装置３、５０から出力される映像を表示するものである。ディスプレイ２としては、ＬＣＤ（液晶ディスプレイ）、ＰＤＰ（プラズマディスプレイパネル）、またはＣＲＴ（cathode-ray tube）ディスプレイなどが挙げられる。
【０１９４】
液晶シャッターメガネ１０、１０ａは、表示制御装置３、５０とともに用いられるものであり、偏光板、液晶層、及び偏光板の三層構造を備え、液晶層で２つの透過偏光を切り替えることにより、鑑賞者の左右の目の視認可否を切り替えることができるようになっている。より具体的には、液晶シャッターメガネ１０、１０ａは、光の通過及び遮断を制御するシャッター駆動信号により左右目用のシャッターを開閉させ、そのシャッター駆動信号は、表示装置から出力される所望の映像信号のフィールド周波数に同期がとれており、かつ信号幅も映像信号に対応したものとなっている。したがって、このシャッター駆動信号によりシャッターを開閉することにより、鑑賞者は、複数の映像信号のうち、選択された「１つの映像信号に対応した映像」だけをシャッター開状態で見ることができ、かつ、それ以外の映像はシャッター閉状態で見ることができない、所望の映像だけを鑑賞することができる。
【０１９５】
なお、立体映像を鑑賞するために鑑賞者が着用するメガネとしては、液晶シャッターメガネ１０、１０ａに限らず、他の仕組みを用いて視認可否を可能にするものであってもよい。例えば、回転するプレートがメガネの左右の目の前に取り付けられており、シャッターを閉じるタイミングにおいて、プレートがメガネの右または左の目を覆うという構成であってもよい。
【０１９６】
また、同図では、液晶シャッターメガネ１０、１０ａは、中継器６を介して、表示制御装置３、５０とケーブルを介して有線接続されている。しかしながら、液晶シャッターメガネ１０、１０ａは、中継器６、および／または、表示制御装置３、５０と、無線接続されていてもよい。
【０１９７】
また、同図では、中継器６には２台の液晶シャッターメガネ１０、１０ａが接続されている。しかしながら、液晶シャッターメガネ１０、１０ａの台数は２台に限定されず、単数、または３台以外の複数であってよい。
【０１９８】
操作部７は、鑑賞者が表示制御装置３、５０、および記録再生装置５を動作させるための指示信号を入力するものであり、例えば、表示制御装置３、５０を遠隔操作するリモコンや、表示制御装置３、５０自体に設けられた操作ボタン、あるいは、表示制御装置３、５０に接続された、マウスやキーボードなどで構成されてよい。操作部７を用いて鑑賞者により入力された指示信号は、図示しない入出力制御部を介して、表示制御装置３、５０、および／または、記録再生装置５の各部に送られる。これにより、鑑賞者は、表示制御装置３、５０、記録再生装置５を操作することができる。
【０１９９】
記録再生装置５は、ＢＤ（Blu-Ray(登録商標) Disc）あるいはＤＶＤ（Digital Versatile Disc）、ＨＤＤ（Hard Disc Drive）等の情報記録媒体に記録された映像情報を再生するものであり、公知の記録再生装置であってよい。
【０２００】
なお、同図では、記録再生装置５によって再生された映像信号が表示制御装置３、５０に入力されるものとして説明している。しかしながら、記録再生装置５ではなく、ＩＰ（Internet Protocol）ネットワークを使ってリアルタイム放送や映画などのコンテンツを配信するサービスを利用して受信した映像データに対応する映像が表示制御装置３、５０に入力され、ディスプレイ２に表示されてもよい。その一例として、決められた放送スケジュールにしたがって番組をリアルタイムに配信する放送タイプのサービスであるリニアＴＶ、または、受信側からの配信要求に応じて、該コンテンツ処理装置にユニキャストでコンテンツを配信するサービスであるＶｏＤ（Video on Demand）を利用して取得した映像データに対応する映像が表示制御装置３、５０に入力され、ディスプレイ２に表示されてもよい。また、地上波デジタル放送またはケーブルテレビによる映像を表示制御装置３、５０に入力し、ディスプレイ２に表示してもよい。
【０２０１】
中継器６は、表示制御装置３、５０、液晶シャッターメガネ１０、１０ａ、および記録再生装置５を互いに接続するためのものである。ただし、液晶シャッターメガネ１０、１０ａおよび記録再生装置５を表示制御装置３、５０に直接接続するとき、あるいは、表示制御装置３、５０と液晶シャッターメガネ１０、１０ａとを無線接続にするとき、または、記録再生装置５が表示制御装置３、５０に内蔵されているとき、などには、中継器６は特に必要ではない。
【０２０２】
〔補足〕
最後に、液晶シャッターメガネ１０、１０ａのシャッター制御部１２および表示制御装置５０の制御部５１の各ブロックは、ハードウェアロジックによって構成してもよいし、次のようにＣＰＵを用いてソフトウェアによって実現してもよい。
【０２０３】
すなわち、シャッター制御部１２および制御部５１は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアであるシャッター制御部１２および制御部５１の制御プログラムのプログラムコード（実行形式プログラム、中間コードプログラム、ソースプログラム）をコンピュータで読み取り可能に記録した記録媒体を、液晶シャッターメガネ１０、１０ａおよび表示制御装置５０に供給し、そのコンピュータ（又はＣＰＵやＭＰＵ）が記録媒体に記録されているプログラムコードを読み出し実行することによっても、達成可能である。
【０２０４】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２０５】
また、液晶シャッターメガネ１０、１０ａおよび表示制御装置５０を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０２０６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２０７】
なお、本発明は、以下のようにも表現することができる。すなわち、本発明は、映像表示装置に表示される映像を鑑賞者に対して表示・非表示の状態に変更することが可能な右目用シャッターおよび左目用シャッターを有する表示状態変更手段の動作を制御することが可能であり、かつ、前記映像表示装置に表示される映像の表示タイミングを示す同期信号を受信する手段を備え、かつ前記シャッターの開閉動作が前記同期信号に同期して行われ、かつ、自身の姿勢を検出する姿勢検出手段を備える表示制御装置であって、前記姿勢検出手段により検出された前記表示制御装置の姿勢に応じて、鑑賞者の視聴する映像を変更する表示制御装置である。
【０２０８】
前記表示状態変更手段の動作として、前記表示装置の前記右目用シャッターと前記左目用シャッターの開閉動作を同時に行うことが好ましい。
【０２０９】
前記表示状態変更手段の動作として、前記右目用シャッターと前記左目用シャッターを両方とも閉状態に保つことが好ましい。
【０２１０】
前記表示状態変更手段の動作として、前記右目用シャッターと前記左目用シャッターを両方とも開状態に保つことが好ましい。
【０２１１】
前記表示制御装置が前記表示制御装置に対応した映像表示装置への信号送信手段を供えており、前記信号送信手段を通じて受信された前記表示制御装置の姿勢に応じて、前記映像表示装置の表示する映像を変更させる変更手段を有することが好ましい。
【０２１２】
本発明は、上記の表示装置に対応可能な立体映像表示装置であって、上記変更手段によって、映像表示を、３Ｄ映像表示から２Ｄ映像表示へ切り替える手段を有する立体映像表示装置である。
【０２１３】
上記変更手段によって、映像表示画面中に前記鑑賞者に対する警告メッセージを表示することが好ましい。
【０２１４】
上記変更手段によって、前記鑑賞者の希望する映像を前記表示装置に表示しないことが好ましい。
【０２１５】
上記変更手段によって、前記警告メッセージの表示を含み、かつ、前記３Ｄ映像から２Ｄ映像への変更と、前記鑑賞者の希望する映像を映像表示装置に表示しない変更のうち少なくとも１つを含むことが好ましい。
【０２１６】
上記変更手段によって、右目用映像と左目用映像の位置が変更されることが好ましい。
【０２１７】
上記変更手段によって変更される右目用映像と左目用映像の配置が、前記鑑賞者の右目と左目を通る直線に略平行になるようにそれぞれ平行移動される変更であることが好ましい。
【０２１８】
上記変更手段によって変更される右目用映像と左目用映像の配置が、前記表示装置の映像表示部を中心として、前記鑑賞者の右目と左目を通る直線に略平行になるように回転される変更であることが好ましい。
【０２１９】
上記変更手段によって変更される回転が、前記表示装置は物理的に動かず、前記表示装置に表示される映像のみの回転であることが好ましい。
【０２２０】
上記変更手段によって変更される回転が、前記表示装置の物理的な回転であることが好ましい。
【０２２１】
前記検出される姿勢が、前記表示制御装置に加わる加速度から求められることが好ましい。
【産業上の利用可能性】
【０２２２】
本発明の表示制御装置は、立体映像の鑑賞中における健康被害を抑制することができ、特に立体映像の出力を行うことが可能な液晶表示装置、またはプラズマ等の自発光型表示装置に好適に適用することができる。
【符号の説明】
【０２２３】
２    ディスプレイ（表示装置）
３、５０    表示制御装置
１０、１０ａ    液晶シャッターメガネ（視認切替用メガネ）
１４    報知部
１５    傾きセンサー（傾き検出手段）
５４    映像変更制御部（変更手段）
１２１    傾き判定部（判定手段）
１２１ａ    傾き量決定部（決定手段）
【図１】
2012222698.tif 000003
【図２】
2012222698.tif 000004
【図３】
2012222698.tif 000005
【図４】
2012222698.tif 000006
【図５】
2012222698.tif 000007
【図６】
2012222698.tif 000008
【図７】
2012222698.tif 000009
【図８】
2012222698.tif 000010
【図９】
2012222698.tif 000011
【図１０】
2012222698.tif 000012
【図１１】
2012222698.tif 000013
【図１２】
2012222698.tif 000014
【図１３】
2012222698.tif 000015
【図１４】
2012222698.tif 000016
【図１５】
2012222698.tif 000017
【図１６】
2012222698.tif 000018
【図１７】
2012222698.tif 000019
【図１８】
2012222698.tif 000020